(57)【要約】      （修正有）【課題】小型、安価に製作でき、運搬移動も容易で多くの人に地震に近い揺れを体験してもらうのに適した地震動発生装置を提供する。【解決手段】揺動板２と、それを揺動振動させる起震部３とで構成する。起震部は矩形のベース板と、ベース板に垂直な軸周りに回転する一対のプーリーと、プーリーを歯付きベルトを介して同期回転させる駆動モータと、ベース板四隅に立設固定され上面に転動可能な鋼球を取り付けたスラスト玉軸受け部とから構成し、各プーリーには回転中心から所定距離偏心した位置に円柱状の突起を立設する。揺動板はベース板に略等しい形状とし、下面側には一対のプーリーの突起を挿通する２個の挿通穴２９ａ、２９ｂを中心間隔をプーリーの中心間隔に等しくして設け、２個の挿通穴にプーリーの各突起を挿通させた状態でスラスト玉軸受け部上に載置する。一対のプーリーを駆動モータにて同期駆動回転させる。【選択図】図１
0003190685.tif 000002
【実用新案登録請求の範囲】
【請求項１】
揺動板に地震の横揺れに近い人工振動を発生させて揺動板上の体験者に揺れを体験させる地震動発生装置であって、
揺動板と、該揺動板を揺動振動させる起震部とから構成され、
該起震部は、矩形のベース板と、該ベース板に固定されベース板に垂直な軸周りに回転する一対のプーリーと、該一対のプーリーを歯付きベルトを介して同期回転させる駆動モータと、ベース板の四隅に立設固定され上面に転動可能に取り付けた鋼球により前記揺動板を揺動可能に支持するスラスト玉軸受け部とから構成されて、前記各プーリーには回転中心から所定距離偏心した位置に円柱状の突起が立設してあり、
前記揺動板は前記ベース板に略等しい形状の板で、その下面側からは前記一対のプーリーの前記突起を挿通する２個の挿通穴がその中心間隔を一対のプーリーの中心間隔に等しくして設けてあり、
該２個の挿通穴に一対のプーリーの各突起を挿通させた状態で揺動板を前記４個のスラスト玉軸受け部上に載置し、該状態にて一対のプーリーが前記駆動モータにて同期回転させられるように前記歯付きベルトを取り付け、該状態にて駆動モータを回転させて前記揺動板に揺動振動を与えるように構成したことを特徴とする地震動発生装置。
【考案の詳細な説明】
【技術分野】
【０００１】
本考案は、揺動板に地震の横揺れに近い人工振動を発生させて、揺動板上の体験者に地震に近い揺れを体験させる地震動発生装置に関する。
【背景技術】
【０００２】
地震による災害を最小限に抑えるには一般の人々の防災、減災意識を高めることが重要であり、そのための一つの手段として地震による強い揺れを多くの人に体験してもらうことがある。従来、人工的に地震に近い揺れを発生させて地震動を体験してもらう装置が数多く提案されている（例えば、特許文献１〜４）。しかし、これらの装置は機械的に大がかりであったり、極めて高価であったり、移動できない定置式装置であったりして簡易な装置とはいえない。このため台数も限られており、多くの人々に地震動を体験してもらうには不十分な状態にある。
【先行技術文献】
【特許文献】
【０００３】
【特許文献１】特開２００６−１８９４８１号公報
【特許文献２】特開２００９−１８０８４３号公報
【特許文献３】特開２０１２−１１８３８３号公報
【特許文献４】特開２０１２−１８１２９７号公報
【考案の開示】
【考案が解決しようとする課題】
【０００４】
本考案は、従来技術のこうした問題点を解決するためになされたもので、その課題は、揺動板に地震の横揺れに近い人工振動を発生させて、揺動板上の体験者に地震に近い揺れを体験させる装置であって、小型、安価に製作でき、運搬移動も容易な地震動発生装置を提供することにある。
【課題を解決するための手段】
【０００５】
前記課題を解決するための請求項１に記載の考案は、揺動板に地震の横揺れに近い人工振動を発生させて揺動板上の体験者に揺れを体験させる地震動発生装置であって、揺動板と、該揺動板を揺動振動させる起震部とから構成され、該起震部は矩形のベース板と、該ベース板に固定されベース板に垂直な軸周りに回転する一対のプーリーと、該一対のプーリーを歯付きベルトを介して同期回転させる駆動モータと、ベース板の四隅に立設固定され上面に転動可能に取り付けた鋼球により揺動板を揺動可能に支持するスラスト玉軸受け部とから構成されて、各プーリーには回転中心から所定距離偏心した位置に円柱状の突起が立設してあり、揺動板はベース板に略等しい形状の板で、その下面側からは一対のプーリーの突起を挿通する２個の挿通穴がその中心間隔を一対のプーリーの中心間隔に等しくして設けてあり、該２個の挿通穴に一対のプーリーの各突起を挿通させた状態で揺動板を４個のスラスト玉軸受け部上に載置し、該状態にて一対のプーリーが駆動モータにて同期回転させられるように歯付きベルトを取り付け、該状態にて駆動モータを回転させて揺動板に揺動振動を与えるように構成したことを特徴とする地震動発生装置である。
【０００６】
このような構成の地震動発生装置は、構造が比較的簡単で少ない製作費用で製作できる。小型、軽量であることから運搬も容易であり、各所に運んで多くの人に地震動を体験してもらうことで防災、減災に役立てることができる。
【図面の簡単な説明】
【０００７】
【図１】揺動板２を起震部３から外した状態の地震動発生装置の斜視図である。
【図２】起震部３の分解斜視図である。
【図３】揺動板２の底面側斜視図である。
【図４】側板４を外した状態の起震部３の斜視図である。
【図５】側板４を外した状態の起震部３の平面図である。
【図６】図５におけるＡ−Ａ線に沿った起震部３の断面図である。
【図７】図５におけるＢ−Ｂ線に沿った起震部３の断面図である。
【考案を実施するための形態】
【０００８】
以下、本考案に係る地震動発生装置の一実施形態について図面を参照して説明する。地震動発生装置１は揺動板２と、該揺動板２を揺動振動させる起震部３とから構成される。図１は揺動板２を起震部３から外した状態の斜視図、図２は起震部３の分解斜視図、図３は揺動板２の底面側斜視図、図４は側板４を外した状態の起震部３の斜視図、図５は側板４を外した状態の起震部３の平面図である。図６は図５におけるＡ−Ａ線に沿った起震部３の断面図、図７は図５におけるＢ−Ｂ線に沿った起震部３の断面図である。
【０００９】
起震部３は図２の分解斜視図に示すようにベース板５、側板４、プーリー駆動部７、４個のスラスト玉軸受け部８から構成される。ベース板５は矩形の板で、その上面周囲を側板４が囲っている。プーリー駆動部７は一対のプーリー９ａ、９ｂと、出力軸に小型プーリー１０を取り付けた駆動モータ１１と、それらプーリー間に掛け渡した歯付きベルト１２と、該歯付きベルト１２にテンションを与えるテンションプーリー１３とから構成される。
【００１０】
一対のプーリー９ａ、９ｂは、ベース板５の中央部に固定した横長直方体ブロック１５の上面に、ベース板５に垂直な軸周りに回転するように取り付けてある。各プーリーには回転中心から所定距離偏心した位置に円柱状の突起１７ａ、１７ｂが立設してある。出力軸に小型プーリー１０を取り付けた駆動モータ１１は、小型プーリー１０がベース板５に垂直な軸周りに回転するように取り付けてある。一対のプーリー９ａ、９ｂ、小型プーリー１０間には歯付きベルト１２が掛け渡してある。テンションプーリー１３は内蔵するスプリングによりプーリー部を歯付きベルト１２に押しつけ、歯付きベルト１２にテンションを与える。このような構成により駆動モータ１１が回転すると一対のプーリー９ａ、９ｂは歯付きベルト１２により同期回転させられる。
【００１１】
ベース板５の四隅に立設固定される４個のスラスト玉軸受け部８は、揺動板２を水平揺動可能に支持する部分である。各スラスト玉軸受け部８は図４、図６、図７中に示すように、ベース板５に固定する小直方体ブロック２０、その上に固定した矩形板２１、その上に固定した矩形鋼板２２、該矩形鋼板２２の外側の矩形板２１上に平行に取り付けた１対の細長矩形間隔ブロック２３、該細長矩形間隔ブロック２３の上面間に張り渡されて中央に円形穴が形成された金属板２４、該円形穴内で転動するように矩形鋼板２２上に載置された鋼球２５から構成される。矩形板２１は小直方体ブロック２０に固定されるだけでなく、その周囲２辺の下面側が側板４の上面にも固定される。４個のスラスト玉軸受け部８は図６、図７に示すように鋼球２５で揺動板２を揺動可能に支持する。
【００１２】
揺動板２はベース板５に略等しい形状に形成されている。ベース板５は強度を確保するため木材を使用した３層構造にしてある。最下層の板には硬質で強度のある板が使用してあり、上面周囲には幅狭の枠２７が取り付けてある。最下層板にはプーリー９ａ、９ｂの上面に立設された突起１７ａ、１７ｂを挿通する２個の挿通穴２９ａ、２９ｂが、その中心間隔をプーリー９ａ、９ｂプーリーの中心間隔に等しくして設けてある。
【００１３】
揺動板２は２個の挿通穴２９ａ、２９ｂにプーリー９ａ、９ｂの円柱状突起１７ａ、１７ｂを挿通した状態で４個のスラスト玉軸受け部８上に載置する。その状態で一対のプーリー９ａ、９ｂが駆動モータ１１にて同期回転されられるように歯付きベルト１２の取り付けを調整する。このような状態で駆動モータを回転駆動させると、プーリー９ａ、９ｂ上面に偏心して立設した突起１７ａ、１７ｂが偏心した同期回転をする。突起１７ａ、１７ｂが偏心した同期回転をすると、その突起１７ａ、１７ｂを挿通した状態でスラスト玉軸受け部８に支持されている揺動板２は、突起１７ａ、１７により駆動されて水平面内で同じ姿勢のまま揺動旋回する。その揺動旋回による動きが地震動による水平振動に近い動きとなるように駆動モータ１１に供給する電力をプログラム制御することで、揺動板２上に載った体験者に地震動に近い揺れを体験させることができる。駆動モータ１１への電力供給は複雑なプログラム制御によるのではなく、モータに単相交流モータを使用して単相交流１００Ｖ電源の電圧をスライダックで調整して供給するだけの簡単な方式でもよい。
【００１４】
本実施形態の地震動発生装置は、構造が比較的簡単で少ない製作費用で製作できる。小型、軽量であることから運搬も容易であり、各所に運んで多くの人に地震動に近い揺れを体験してもらうことで防災、減災の意識を高めてもらうことができる。
【符号の説明】
【００１５】
図面中、１は地震動発生装置、２は揺動板、３は起震部、５はベース板、８はスラスト玉軸受け部、９ａ、９ｂはプーリー、１１は駆動モータ、１２は歯付きベルト、１７ａ、１７ｂは円柱状突起、２５は鋼球、２９ａ、２９ｂは挿通穴を示す。
【図１】
0003190685.tif 000003
【図２】
0003190685.tif 000004
【図３】
0003190685.tif 000005
【図４】
0003190685.tif 000006
【図５】
0003190685.tif 000007
【図６】
0003190685.tif 000008
【図７】
0003190685.tif 000009